(57)【要約】【課題】チャージポンプ回路において、動作開始初期に発生する電荷再分配時の突入電流を的確に軽減すること。【解決手段】動作開始から予め設定された初期動作の期間には、スイッチＳ２を非導通状態に維持すると同時に、抵抗Ｒ１をスイッチＳ２に並列に接続し、この状態で以下の第１周期の動作と第２周期の動作とを交互に繰り返す。第１周期の動作では、スイッチＳ１およびスイッチＳ４を導通状態にし、それと同時にスイッチＳ３を非導通状態にし、キャパシタＣ２を充電する。第２周期の動作では、スイッチＳ１およびスイッチＳ４を非導通状態にし、それと同時にスイッチＳ３を導通状態にし、キャパシタＣ１とキャパシタＣ２との間で電荷の分配を行う。【選択図】図１
2007104823.tif 000002
【特許請求の範囲】
【請求項１】
直列に接続されるとともに、その両端が第１端子と第２端子とにそれぞれ接続される第１スイッチおよび第２スイッチと、
直列に接続されるとともに、その両端が出力端子と第３端子とにそれぞれ接続される第３スイッチおよび第４スイッチと、
前記第１スイッチと前記第２スイッチとの共通接続部と、前記第３スイッチと前記第４スイッチとの共通接続部とに接続される第１キャパシタと、
前記出力端子と第４端子とに接続される第２キャパシタと、
前記第２スイッチに対して並列に接続可能な抵抗素子と、を備え、
通常動作と、前記通常動作に先立って予め設定された期間だけ動作する初期動作とを行うようにし、
前記通常動作の期間には、第１周期の動作と第２周期の動作とを交互に繰り返し、
前記第１周期の動作では、前記第１スイッチおよび前記第４スイッチを導通状態にし、それと同時に前記第２スイッチおよび前記第３スイッチを非導通状態にし、前記第１キャパシタを充電し、
前記第２周期の動作では、前記第１スイッチおよび前記第４スイッチを非導通状態にし、それと同時に前記第２スイッチおよび前記第３スイッチを導通状態にし、前記第１キャパシタと前記第２キャパシタとの間で電荷の分配を行い、
前記初期動作の期間には、前記第２スイッチを非導通状態に維持すると同時に、前記抵抗素子を前記第２スイッチに並列に接続し、この状態で第３周期の動作と第４周期の動作とを交互に繰り返し、
前記第３周期の動作では、前記第１スイッチおよび前記第４スイッチを導通状態にし、それと同時に前記第３スイッチを非導通状態にし、前記第１キャパシタを充電し、
前記第４周期の動作では、前記第１スイッチおよび前記第４スイッチを非導通状態にし、それと同時に前記第３スイッチを導通状態にし、前記第１キャパシタと前記第２キャパシタとの間で電荷の分配を行うようにしたことを特徴とするチャージポンプ回路。
【請求項２】
直列に接続されるとともに、その両端が第１端子と第２端子とにそれぞれ接続される第１スイッチおよび第２スイッチと、
直列に接続されるとともに、その両端が出力端子と第３端子とにそれぞれ接続される第３スイッチおよび第４スイッチと、
前記第１スイッチと前記第２スイッチとの共通接続部と、前記第３スイッチと前記第４スイッチとの共通接続部とに接続される第１キャパシタと、
前記出力端子と第４端子とに接続される第２キャパシタと、を備え、
前記第２スイッチは、入力信号に従って抵抗値が変化する可変抵抗素子からなり、
通常動作と、前記通常動作に先立って予め設定された期間だけ動作する初期動作とを行うようにし、
前記通常動作の期間には、第１周期の動作と第２周期の動作とを交互に繰り返し、
前記第１周期の動作では、前記第１スイッチおよび前記第４スイッチを導通状態にし、それと同時に前記第２スイッチおよび前記第３スイッチを非導通状態にし、前記第１キャパシタを充電し、
前記第２周期の動作では、前記第１スイッチおよび前記第４スイッチを非導通状態にし、それと同時に前記第２スイッチおよび前記第３スイッチを導通状態にし、前記第１キャパシタと前記第２キャパシタとの間で電荷の分配を行い、
前記初期動作の期間には、前記第２スイッチはその抵抗値が前記第２周期の動作時の抵抗値よりも大きくなるように前記入力信号で制御され、この状態で第３周期の動作と第４周期の動作とを交互に繰り返し、
前記第３周期の動作では、前記第１スイッチおよび前記第４スイッチを導通状態にし、それと同時に前記第３スイッチを非導通状態にし、前記第１キャパシタを充電し、
前記第４周期の動作では、前記第１スイッチおよび前記第４スイッチを非導通状態にし、それと同時に前記第３スイッチを導通状態にし、前記第１キャパシタと前記第２キャパシタとの間で電荷の分配を行うようにしたことを特徴とするチャージポンプ回路。
【請求項３】
直列に接続されるとともに、その両端が第１端子と第２端子とにそれぞれ接続される第１スイッチおよび第２スイッチと、
直列に接続されるとともに、その両端が出力端子と第３端子とにそれぞれ接続される第３スイッチおよび第４スイッチと、
前記第１スイッチと前記第２スイッチとの共通接続部と、前記第３スイッチと前記第４スイッチとの共通接続部とに接続される第１キャパシタと、
前記出力端子と第４端子とに接続される第２キャパシタと、を備え、
前記第２スイッチは、入力信号に従って抵抗値が変化する可変抵抗素子からなり、
通常動作と、前記通常動作に先立って予め設定された期間だけ動作する初期動作とを行うようにし、
前記通常動作の期間には、第１周期の動作と第２周期の動作とを交互に繰り返し、
前記第１周期の動作では、前記第１スイッチおよび前記第４スイッチを導通状態にし、それと同時に前記第２スイッチおよび前記第３スイッチを非導通状態にし、前記第１キャパシタを充電し、
前記第２周期の動作では、前記第１スイッチおよび前記第４スイッチを非導通状態にし、それと同時に前記第２スイッチおよび前記第３スイッチを導通状態にし、前記第１キャパシタと前記第２キャパシタとの間で電荷の分配を行い、
前記初期動作の期間には、第３周期の動作と第４周期の動作とを交互に繰り返し、
前記第３周期の動作では、前記第１スイッチおよび前記第４スイッチを導通状態にし、それと同時に前記第２スイッチおよび前記第３スイッチを非導通状態にし、前記第１キャパシタを充電し、
前記第４周期の動作では、前記第１スイッチおよび前記第４スイッチを非導通状態にし、それと同時に前記第２スイッチおよび前記第３スイッチを導通状態にし、前記第１キャパシタと前記第２キャパシタとの間で電荷の分配を行い、
かつ、前記第２スイッチは、前記第２周期の動作時の抵抗値より前記第４周期の動作時の抵抗値が大きくなるように、前記入力信号で制御されるようにしたことを特徴とするチャージポンプ回路。
【請求項４】
前記第１端子の電位がグランド電位であり、前記第２端子および前記第３端子の電位が共に所定の同一電位であることを特徴とする請求項１、請求項２、または請求項３に記載のチャージポンプ回路。
【請求項５】
前記第２端子および前記第３端子の電位が共にグランド電位であることを特徴とする請求項１、請求項２、または請求項３に記載のチャージポンプ回路。
【請求項６】
前記第１スイッチ、前記第２スイッチ、前記第３スイッチ、および前記第４スイッチの一部または全てがＭＯＳトランジスタであることを特徴とする請求項１乃至請求項５のうちの何れかの請求項に記載のチャージポンプ回路。
【発明の詳細な説明】
【技術分野】
【０００１】
本発明は、キャパシタとスイッチとを組み合わせ、スイッチをオンオフ動作させることによって、キャパシタの充電とキャパシタ間の電荷の再分配を繰り返して所定の出力を得るようにしたチャージポンプ回路に関するものである。
【背景技術】
【０００２】
チャージポンプ回路として、例えば図８に示すような構成のものが従来から知られている。
このチャージポンプ回路は、図８に示すように、キャパシタＣ１、Ｃ２と、スイッチＳ１〜Ｓ４とを備えており，キャパシタＣ１を充電する第１の周期の動作と、キャパシタＣ１とキャパシタＣ２の間で電荷の再分配を行う第２の周期の動作とを交互に繰り返して動作するようになっている。
【０００３】
次に、このような構成からなるチャージポンプ回路の動作について説明するが、理解を容易にするために、用意した正の電位から絶対値の等しい負の電位を出力し、負荷Ｒｏを駆動する場合を例にして説明する。
すなわち、図８に示すように、端子１には正の電位Ｖ１を供給し、端子２、端子４、および端子５の電位Ｖ２、Ｖ３、Ｖ４はそれぞれグランド電位とし、出力端子３の電位ＶＯＵＴは正の電位Ｖ１を反転した負電位であり、出力端子３の電位ＶＯＵＴで負荷Ｒｏが駆動される。
【０００４】
まず、第１の周期では、スイッチＳ１、Ｓ４を導通状態にし、それと同時にスイッチＳ２、Ｓ３を非導通状態にし、キャパシタＣ１の一端をスイッチＳ１を介して端子１に接続し、その他端をスイッチＳ４を介して端子４に接続し、これにより正の電位Ｖ１でキャパシタＣ１を充電する。このとき、キャパシタＣ２は保持する電荷により出力端子３に出力電圧ＶＯＵＴを出力する。
【０００５】
次に，第２の周期は，スイッチＳ１、Ｓ４を非導通状態にし、それと同時にスイッチＳ２、Ｓ３を導通状態にし、キャパシタＣ１の一端をスイッチＳ２を介して端子２に接続し、その他端をスイッチＳ３を介して出力端子３に接続する。キャパシタＣ２の両端は出力端子３とグランド電位である端子５とに接続されているため、第１の周期で充電されたキャパシタＣ１の電荷と、キャパシタＣ２の保持する電荷とが再分配され、同時に出力端子３への出力が行われる。
出力端子３の電位ＶＯＵＴは、負荷Ｒｏによって電流消費されるため時間変化するが、消費される電荷量に比べてキャパシタＣ１によって供給できる電荷量が十分大きい場合には、出力端子３の電位ＶＯＵＴは，おおむね端子１に供給される電位Ｖ１を反転した電位となる。
【０００６】
次に、図９を用いて動作開始時における出力端子３の電位ＶＯＵＴと、チャージポンプ回路中を流れる電流（一例として、端子２に流れ込む電流ＩＶ２）について説明する。
図９（Ａ）は出力端子３の電位ＶＯＵＴの変化を示し、９（Ｂ）は端子２に流れ出す電流ＩＶ２の変化を示す。端子２に流れ込む電流ＩＶ２は、図８において矢印によって示す電流である。
まず、動作開始前においてキャパシタＣ２が負荷Ｒｏにより放電されており、出力端子３の電位ＶＯＵＴは電位Ｖ４、すなわちグランド電位であるとする。
【０００７】
また，負荷Ｒｏは比較的軽く，その消費する電流によって出力端子３の電位ＶＯＵＴは大きく変化しないと仮定する。
動作開始から最初の第１の周期でキャパシタＣ１が電位Ｖ１に充電され、その直後の第２の周期でキャパシタＣ１と充電されていないキャパシタＣ２との間で電荷が分配（再分配）されるため、図９に示すように、出力端子３の電位ＶＯＵＴはグランド電位から電位４０に大きく変化し、端子２には大きな電流５０が流れ込む。
【０００８】
続いて、次の第１の周期でキャパシタＣ１が再び充電され，その直後の第２の周期でキャパシタＣ１と電位４０を保持するキャパシタＣ２との間で電荷再分配されるため、出力端子３の電位ＶＯＵＴは電位４０から電位４１に変化し（図９（Ａ）参照）、端子２には電流５０よりも小さい電流５１が流れ込む（図９（Ｂ）参照）。
以後、同様に第１の周期と第２の周期の動作を交互に繰り返し、出力端子３の電位ＶＯＵＴは所定の電位４２、すなわち電位Ｖ１を反転した負電位に徐々に近づいていくとともに、電荷再分配にともなって端子２に流れ込む電流ＩＶ２は徐々に小さくなっていく（図９参照）。
【０００９】
このように、図８に示すチャージポンプ回路では、動作開始初期の第２の周期において、キャパシタＣ１、Ｃ２における電荷再分配に伴う大きな電流、すなわち突入電流が流れる。
このように大きな突入電流が流れると、チャージポンプ回路自身のスイッチＳ１〜Ｓ４、キャパシタＣ１、Ｃ２、配線等の破壊や、チャージポンプ回路が電源に与えたノイズにより、その電源につながる回路の誤動作を引き起こす等の問題が起こる。
【００１０】
このような問題を起こす突入電流を軽減するための従来技術として、特許文献１に示すチャージポンプ回路が知られている。
特許文献１のチャージポンプ回路は、スイッチが全てＭＯＳトランジスタであり、電荷再分配を行う周期においてオンするＭＯＳトランジスタの１つに、そのＭＯＳトランジスタよりもサイズが小さく抵抗値が大きいＭＯＳトランジスタが並列に接続されている。
【００１１】
また、それら２つのＭＯＳトランジスタのどちらを、電荷再分配を行う周期においてオンさせるか選択できるようになっている。
つまり、動作開始から所定の期間において電荷再分配を行う周期に、上記のサイズが小さく抵抗値が大きいＭＯＳトランジスタをオンさせ、そのＭＯＳトランジスタを介して電荷再分配することによって、動作開始初期における電荷再分配時の突入電流を軽減させようとしている。
【特許文献１】特開２００３−２１９６３４号公報
【発明の開示】
【発明が解決しようとする課題】
【００１２】
ところで，特許文献１のチャージポンプ回路は，電荷再分配時の突入電流を軽減するための素子としてＭＯＳトランジスタ等の能動素子を使用している。
ＭＯＳトランジスタ等の能動素子は温度、駆動される電位やプロセス変動などによって特性値が変化する性質があり、突入電流の大きさをコントロールしにくいという不具合がある。
そこで、本発明の目的は、上記の点に鑑み、動作開始の初期における電荷再分配時の突入電流を的確に軽減できるチャージポンプ回路を提供することにある。
【課題を解決するための手段】
【００１３】
上記課題を解決するために、本発明のチャージポンプ回路は、以下のような構成からなる。
すなわち、請求項１に係る発明は、直列に接続されるとともに、その両端が第１端子と第２端子とにそれぞれ接続される第１スイッチおよび第２スイッチと、直列に接続されるとともに、その両端が出力端子と第３端子とにそれぞれ接続される第３スイッチおよび第４スイッチと、前記第１スイッチと前記第２スイッチとの共通接続部と、前記第３スイッチと前記第４スイッチとの共通接続部とに接続される第１キャパシタと、前記出力端子と第４端子とに接続される第２キャパシタと、前記第２スイッチに対して並列に接続可能な抵抗素子と、を備え、通常動作と、前記通常動作に先立って予め設定された期間だけ動作する初期動作とを行うようにし、前記通常動作の期間には、第１周期の動作と第２周期の動作とを交互に繰り返し、前記第１周期の動作では、前記第１スイッチおよび前記第４スイッチを導通状態にし、それと同時に前記第２スイッチおよび前記第３スイッチを非導通状態にし、前記第１キャパシタを充電し、前記第２周期の動作では、前記第１スイッチおよび前記第４スイッチを非導通状態にし、それと同時に前記第２スイッチおよび前記第３スイッチを導通状態にし、前記第１キャパシタと前記第２キャパシタとの間で電荷の分配を行い、前記初期動作の期間には、前記第２スイッチを非導通状態に維持すると同時に、前記抵抗素子を前記第２スイッチに並列に接続し、この状態で第３周期の動作と第４周期の動作とを交互に繰り返し、前記第３周期の動作では、前記第１スイッチおよび前記第４スイッチを導通状態にし、それと同時に前記第３スイッチを非導通状態にし、前記第１キャパシタを充電し、前記第４周期の動作では、前記第１スイッチおよび前記第４スイッチを非導通状態にし、それと同時に前記第３スイッチを導通状態にし、前記第１キャパシタと前記第２キャパシタとの間で電荷の分配を行うようにした。
【００１４】
請求項２に係る発明は、直列に接続されるとともに、その両端が第１端子と第２端子とにそれぞれ接続される第１スイッチおよび第２スイッチと、直列に接続されるとともに、その両端が出力端子と第３端子とにそれぞれ接続される第３スイッチおよび第４スイッチと、前記第１スイッチと前記第２スイッチとの共通接続部と、前記第３スイッチと前記第４スイッチとの共通接続部とに接続される第１キャパシタと、前記出力端子と第４端子とに接続される第２キャパシタと、を備え、前記第２スイッチは、入力信号に従って抵抗値が変化する可変抵抗素子からなり、通常動作と、前記通常動作に先立って予め設定された期間だけ動作する初期動作とを行うようにし、前記通常動作の期間には、第１周期の動作と第２周期の動作とを交互に繰り返し、前記第１周期の動作では、前記第１スイッチおよび前記第４スイッチを導通状態にし、それと同時に前記第２スイッチおよび前記第３スイッチを非導通状態にし、前記第１キャパシタを充電し、前記第２周期の動作では、前記第１スイッチおよび前記第４スイッチを非導通状態にし、それと同時に前記第２スイッチおよび前記第３スイッチを導通状態にし、前記第１キャパシタと前記第２キャパシタとの間で電荷の分配を行い、前記初期動作の期間には、前記第２スイッチはその抵抗値が前記第２周期の動作時の抵抗値よりも大きくなるように前記入力信号で制御され、この状態で第３周期の動作と第４周期の動作とを交互に繰り返し、前記第３周期の動作では、前記第１スイッチおよび前記第４スイッチを導通状態にし、それと同時に前記第３スイッチを非導通状態にし、前記第１キャパシタを充電し、前記第４周期の動作では、前記第１スイッチおよび前記第４スイッチを非導通状態にし、それと同時に前記第３スイッチを導通状態にし、前記第１キャパシタと前記第２キャパシタとの間で電荷の分配を行うようにした。
【００１５】
請求項３に係る発明は、直列に接続されるとともに、その両端が第１端子と第２端子とにそれぞれ接続される第１スイッチおよび第２スイッチと、直列に接続されるとともに、その両端が出力端子と第３端子とにそれぞれ接続される第３スイッチおよび第４スイッチと、前記第１スイッチと前記第２スイッチとの共通接続部と、前記第３スイッチと前記第４スイッチとの共通接続部とに接続される第１キャパシタと、前記出力端子と第４端子とに接続される第２キャパシタと、を備え、前記第２スイッチは、入力信号に従って抵抗値が変化する可変抵抗素子からなり、通常動作と、前記通常動作に先立って予め設定された期間だけ動作する初期動作とを行うようにし、前記通常動作の期間には、第１周期の動作と第２周期の動作とを交互に繰り返し、前記第１周期の動作では、前記第１スイッチおよび前記第４スイッチを導通状態にし、それと同時に前記第２スイッチおよび前記第３スイッチを非導通状態にし、前記第１キャパシタを充電し、前記第２周期の動作では、前記第１スイッチおよび前記第４スイッチを非導通状態にし、それと同時に前記第２スイッチおよび前記第３スイッチを導通状態にし、前記第１キャパシタと前記第２キャパシタとの間で電荷の分配を行い、前記初期動作の期間には、第３周期の動作と第４周期の動作とを交互に繰り返し、前記第３周期の動作では、前記第１スイッチおよび前記第４スイッチを導通状態にし、それと同時に前記第２スイッチおよび前記第３スイッチを非導通状態にし、前記第１キャパシタを充電し、前記第４周期の動作では、前記第１スイッチおよび前記第４スイッチを非導通状態にし、それと同時に前記第２スイッチおよび前記第３スイッチを導通状態にし、前記第１キャパシタと前記第２キャパシタとの間で電荷の分配を行い、かつ、前記第２スイッチは、前記第２周期の動作時の抵抗値より前記第４周期の動作時の抵抗値が大きくなるように、前記入力信号で制御されるようにした。
【００１６】
請求項４に係る発明は、請求項１、請求項２、または請求項３に記載のチャージポンプ回路において、前記第１端子の電位がグランド電位であり、前記第２端子および前記第３端子の電位が共に所定の同一電位であるようにした。
請求項５に係る発明は、請求項１、請求項２、または請求項３に記載のチャージポンプ回路において、前記第２端子および前記第３端子の電位が共にグランド電位であるようにした。
請求項６に係る発明は、請求項１乃至請求項５のうちの何れかの請求項に記載のチャージポンプ回路において、前記第１スイッチ、前記第２スイッチ、前記第３スイッチ、および前記第４スイッチの一部または全てがＭＯＳトランジスタからなるようにした。
【発明の効果】
【００１７】
このような構成からなる請求項１に係る発明によれば、抵抗素子の抵抗値が、導通状態の第２スイッチの抵抗値よりも十分大きくすれば、動作開始初期における電荷再分配時の突入電流を軽減できる。また、抵抗素子を用いることで、突入電流の軽減を的確に行うことができる。
請求項２に係る発明によれば、例えば、カレントミラー回路などを用いて動作開始から予め設定された初期動作の期間における第２スイッチに流れる電流を制限することによって、動作開始初期における電荷再分配時の突入電流を的確に軽減できる。
【００１８】
請求項３に係る発明によれば、例えば、カレントミラー回路などを用いて動作開始から予め設定された初期動作の期間における導通時の第２スイッチに流れる電流を制限することによって、動作開始初期における電荷再分配時の突入電流を的確に軽減できる。
請求項４に係る発明によれば，昇圧出力を発生するチャージポンプ回路を提供することができる。
請求項５に係る発明によれば，負電位出力を発生するチャージポンプ回路を提供することができる。
請求項６に係る発明によれば、ＭＯＳトランジスタを用いて、半導体基板上に集積回路化することができる。
【発明を実施するための最良の形態】
【００１９】
以下、本発明を実施するための最良の形態を図面に基づいて具体的に説明する。
（第１実施形態）
本発明の第１実施形態に係るチャージポンプ回路の構成について、図１を参照して説明する。
この第１実施形態に係るチャージポンプ回路は、図１に示すように、第１乃至第４スイッチであるスイッチＳ１〜Ｓ４と、第１および第２キャパシタであるキャパシタＣ１、Ｃ２と、スイッチＳ５と、抵抗素子である抵抗Ｒ１とを少なくとも備え、出力端子３に負荷Ｒｏを接続されるようになっている。
【００２０】
さらに詳述すると、スイッチＳ１およびスイッチＳ２は直列に接続され、その直列回路のスイッチＳ１側が第１端子である端子１に接続され、そのスイッチＳ２側が第２端子である端子２に接続されている。スイッチＳ３およびスイッチＳ４は直列に接続され、その直列回路のスイッチＳ３側が出力端子３に接続され、そのスイッチＳ４側が第３端子である端子４に接続されている。
【００２１】
キャパシタＣ１は、一方の端子がスイッチＳ１およびスイッチＳ２の共通接続部に接続され、他方の端子がスイッチＳ３およびスイッチＳ４の共通接続部に接続されている。キャパシタＣ２は、一方の端子が出力端子３に接続され、他方の端子が第４端子である端子５に接続されている。負荷Ｒｏは、その一端側が出力端子３に接続され、その他端側が接地されるようになっている。
【００２２】
スイッチＳ２には、スイッチＳ５と抵抗Ｒ１とが直列に接続される直列回路が、並列に接続されている。これにより、スイッチＳ５はオンオフ制御され、そのオン時にスイッチＳ２に対して抵抗Ｒ１が並列に接続できるようになっている。換言すると、スイッチＳ２と抵抗Ｒ１とを選択的に使用できるようになっている。
次に、このような構成からなる第１実施形態の動作例について、図１を参照して説明する。
【００２３】
図１に示す第１実施形態では、通常動作と、この通常動作に先立って動作開始から予め設定された期間だけ動作する初期動作とを行うようになっている。
この動作例では、理解を容易にするために、用意した正の電位から絶対値の等しい負の電位を出力し、負荷を駆動する場合について説明する。
すなわち，図１に示すように、端子１には正の電位Ｖ１を供給し、端子２、端子４、および端子５の電位Ｖ２、Ｖ３、Ｖ４はそれぞれグランド電位とし、出力端子３の電位ＶＯＵＴは端子１に供給される正の電位Ｖ１を反転した負電位であり、出力端子３の電位ＶＯＵＴで負荷Ｒｏが駆動される場合である。
【００２４】
通常動作の期間には、スイッチ５を非導通状態（開いた状態：オフ状態）にした状態で、以下の第１の周期と第２の周期を交互に繰り返す。
まず、第１の周期においては、スイッチＳ１、スイッチＳ４を導通状態（閉じた状態：オン状態）にし、それと同時にスイッチＳ２、スイッチＳ３を非導通状態にし、キャパシタＣ１の一端をスイッチＳ１を介して端子１に接続し、その他端をスイッチＳ４を介して端子４に接続し、これにより正の電位Ｖ１でキャパシタＣ１を充電する。このとき、キャパシタＣ２は保持する電荷で出力端子３に出力電圧ＶＯＵＴを出力する。
【００２５】
次に、第２の周期においては、スイッチＳ１、スイッチＳ４を非導通状態にし、それと同時にスイッチＳ２、スイッチＳ３を導通状態にし、キャパシタＣ１の一端をスイッチＳ２を介して端子２に接続し、その他端をスイッチＳ３を介して出力端子３に接続する。これにより、キャパシタＣ１は、キャパシタＣ２との間で電荷再分配を行うと共に、出力端子３に出力電圧ＶＯＵＴを出力する。
【００２６】
ここで、出力端子３の出力電位ＶＯＵＴは、負荷Ｒｏによって電流消費されるため時間変化するが、消費される電荷量に比べてキャパシタＣ１によって供給できる電荷量が十分大きい場合には、出力端子３の電位ＶＯＵＴは、おおむね端子２に供給される電位Ｖ１を反転した負電位となる。
これらの通常動作に対し、動作開始から予め設定された初期動作の期間は、スイッチＳ２を非導通状態に維持すると同時に、スイッチＳ５を導通状態にして抵抗Ｒ１をスイッチＳ２に並列に接続し、この状態で以下の第３の周期と第４の周期の動作を交互に繰り返す。
【００２７】
まず、第３の周期においては、スイッチＳ１、スイッチＳ４を導通状態にし、それと同時にスイッチＳ３を非導通状態にし、キャパシタＣ１の一端をスイッチＳ１を介して端子１に接続し、その他端をスイッチＳ４を介して端子４に接続し、これにより正の電位Ｖ１でキャパシタＣ１を充電する。このとき、キャパシタＣ２は保持する電荷で出力端子３に出力電圧ＶＯＵＴを出力する。
【００２８】
次に，第４の周期においては、スイッチＳ１、スイッチＳ４を非導通状態にし、それと同時にスイッチＳ３を導通状態にし、キャパシタＣ１の一端をスイッチＳ５および抵抗Ｒ１を介して端子２に接続し、その他端をスイッチＳ３を介して出力端子３に接続する。これにより、キャパシタＣ１は、キャパシタＣ２との間で電荷再分配を行うと共に、出力端子３に出力電圧ＶＯＵＴを出力する。
【００２９】
次に、図２を用いて、動作開始時における出力端子３の電位ＶＯＵＴの変化と、チャージポンプ回路中を流れる電流（一例として、端子２に流れ込む電流ＩＶ２）について説明する。
図２（Ａ）は図１に示すチャージポンプ回路の出力端子３の出力電位ＶＯＵＴの時間的な変化を示し、図２（Ｂ）は端子２に流れ込む電流ＩＶ２の時間的な変化を示す。
【００３０】
まず、図１に示すチャージポンプ回路の動作開始時には、キャパシタＣ２の電荷が負荷Ｒｏにより放電されており、出力端子３の電位ＶＯＵＴは端子４の電位Ｖ４（グランド電位）であるとする。
図１のチャージポンプ回路の動作の開始後、上記の最初の第３の周期では、キャパシタＣ１が充電される。
【００３１】
ここで、動作開始後の初期動作の期間では、上記のようにスイッチＳ２を非導通状態にし、スイッチＳ５を導通状態としてスイッチＳ２に並列に抵抗Ｒ１を接続する。
このため、第３の周期では、抵抗Ｒ１の一端がスイッチＳ１を介して端子１に接続され、その他端が端子２に接続されるが、抵抗Ｒ１の抵抗値がスイッチＳ１の抵抗値より十分大きいとすれば、キャパシタＣ１は端子１、４に印加される電位Ｖ１と電位Ｖ３によって充電されるとみなすことができる。
【００３２】
また、第３の周期では、抵抗Ｒ１が端子１、２の間に接続されることによって、端子２には図２（Ｂ）に示すような電流３２が流れ込む。
続いて、その第３周期の直後の第４の周期では、キャパシタＣ１、Ｃ２の電荷再分配が行われ、これに伴って、端子２には図２（Ｂ）に示すような電流３０が流れ込み、これと同時に出力端子３の電位ＶＯＵＴは図２（Ａ）に示すようにグランド電位から電位２０へと変化する。
【００３３】
このとき、抵抗Ｒ１の抵抗値を通常動作期間の第２の周期におけるスイッチＳ２の導通状態時の抵抗値よりも十分大きくなるように設定しておけば、図２（Ｂ）に示すように電流３０を十分小さくすることができ、その結果、キャパシタＣ１、Ｃ２の電荷再分配時における突入電流が軽減される。また、抵抗素子である抵抗Ｒ１を用いることによって、突入電流の軽減を的確に行うことができる。
【００３４】
さらに、次の第３の周期では、再びキャパシタＣ１が充電される。そして、その第３の周期の直後の第４の周期では、キャパシタＣ１、Ｃ２の電荷再分配が行われ、これに伴って端子２には電流３０よりも小さい電流３１が流れ（図２（Ｂ）参照）、これと同時に出力端子３の電位ＶＯＵＴは図２（Ａ）に示すように電位２０から電位２１へ変化する。
以後、動作開始から予め設定された初期動作の期間には、上記の第３の周期と第４の周期の動作を交互に繰り返す。この結果、第４の周期では端子２に流れる電流ＩＶ２は徐々に小さくなっていき（図２（Ｂ）参照）、出力端子２の電位ＶＯＵＴは徐々に所定の電位２２、すなわち正の電位Ｖ１を反転した負電位に近づく（図２（Ａ）参照）。
【００３５】
また、動作開始から予め設定された初期動作期間の終了後は通常動作に移行し、上記の第１の周期の動作と第２の周期の動作を交互に繰り返す。
このとき、出力端子３に接続される負荷Ｒｏが十分に軽いとすれば、端子２に流れ込む電流ＩＶ２は、ほとんどゼロである。
以上のように、この第１実施形態によれば、動作開始の初期における突入電流を的確に軽減できる。
なお、上記の説明では、図１の構成において、正の入力電位を反転して負の電位を出力する場合について説明した。
しかし、図１に示す第１実施形態において、端子１と端子５の電位Ｖ１、Ｖ４をいずれもグランド電位とし、端子２、端子４の電位Ｖ２、Ｖ３を入力電位ＶＩＮにすれば、その入力電位ＶＩＮを２倍に昇圧するチャージポンプ回路とすることができる。
【００３６】
（第１実施形態に係る実施例）
第１実施形態に係る実施例によるチャージポンプ回路の構成について、図３を参照して説明する。
図３に示す実施例は、例えば正の入力電位を反転した負の電位を出力する回路であって、図１に示す第１実施形態のスイッチとしてＭＯＳトランジスタを用いるようにしたものである。
ここで、図３に示す実施例のＭＯＳトランジスタＭ１、Ｍ２、Ｍ３、Ｍ４、Ｍ５は、図１のスイッチＳ１、Ｓ２、Ｓ３、Ｓ４、Ｓ５にそれぞれ対応する。なお、ＭＯＳトランジスタＭ１はＰ型であり、他のＭＯＳトランジスタＭ２〜Ｍ５はＮ型である。
【００３７】
また、図３の端子１および出力端子３は、図１の端子１および出力端子３にそれぞれ対応する。そして、図３の端子１には入力電位ＶＩＮが供給されるようになっている。
さらに、図３のＭＯＳトランジスタＭ２のソース端子とＭＯＳトランジスタ４のソース端子が、図１の端子２、４にそれぞれ対応する。その両ソース端子は、グランド電位になるように接地されている。
【００３８】
また、図３のキャパシタＣ１、Ｃ２、抵抗Ｒ１、および負荷Ｒｏは、図１のキャパシタＣ１、Ｃ２、抵抗Ｒ１、および負荷Ｒｏにそれぞれ対応する。なお、図３のキャパシタＣ２の一端側は、グランド電位になるように接地されている。
抵抗Ｒ１は、ポリシリコンから成る抵抗、拡散層から成る抵抗、常時オンとなるようにゲートにバイアス電位を与えたＭＯＳトランジスタ、あるいは、これらの組み合わせから成る抵抗とすることができる。
【００３９】
ＭＯＳトランジスタＭ５は、上記のようにスイッチＳ５に対応するので、動作開始から予め設定された初期動作の期間のみオンするように、ゲート電圧により制御される。
さらに詳述すると、ＭＯＳトランジスタＭ１は、ゲートにオンオフを制御する制御信号が印加され、ソースが端子１に接続され、ドレインがＭＯＳトランジスタＭ２のドレインに接続されている。
【００４０】
ＭＯＳトランジスタＭ２は、ゲートにオンオフを制御する制御信号が印加され、ソースが接地され、ドレインがＭＯＳトランジスタＭ１のドレインに接続されている。ＭＯＳトランジスタＭ２には、ＭＯＳトランジスタ５と抵抗Ｒ１を直列に接続した直列回路が並列に接続されている。
ＭＯＳトランジスタＭ５は、ゲートにオンオフを制御する制御信号が印加され、ソースが抵抗Ｒ１の一端側に接続され、ドレインがＭＯＳトランジスタＭ２のドレインに接続されている。抵抗Ｒ１の他端側は、接地されている。
【００４１】
ＭＯＳトランジスタＭ３は、ゲートにオンオフを制御する制御信号が印加され、ソースが出力端子３に接続され、ドレインがＭＯＳトランジスタＭ２のドレインに接続されている。ＭＯＳトランジスタＭ４は、ゲートにオンオフを制御する制御信号が印加され、ソースが接地され、ドレインがＭＯＳトランジスタＭ３のドレインに接続されている。
キャパシタＣ１は、その一方の端子がＭＯＳトランジスタＭ１とＭＯＳトランジスタＭ２の共通接続部に接続され、その他方の端子がＭＯＳトランジスタＭ３とＭＯＳトランジスタＭ４の共通接続部に接続されている。
【００４２】
このような構成からなる図３に示す実施例では、ＭＯＳトランジスタＭ１〜Ｍ５が図１のスイッチＳ１〜Ｓ５に対応し、ＭＯＳトランジスタＭ１〜Ｍ５はスイッチＳ１〜Ｓ５と同様にオンオフ制御できる。
このため、図３に示す実施例では、図１に示す第１実施形態と同様に動作することができるので、その動作の詳細は省略する。
【００４３】
（第２実施形態）
本発明の第２実施形態に係るチャージポンプ回路の構成について、図４を参照して説明する。
この第２実施形態に係るチャージポンプ回路は、図４に示すように、図１に示すように、スイッチＳ１、Ｓ６、Ｓ３、Ｓ４と、第１および第２キャパシタであるキャパシタＣ１、Ｃ２とを少なくとも備え、出力端子３に負荷Ｒｏを接続されるようになっている。
ここで、第２実施形態は、図１に示す第１実施形態のスイッチＳ２、Ｓ５および抵抗Ｒ１を、図４に示すようにスイッチＳ６に置き換えたものである。
【００４４】
従って、第１実施形態と構成が同じ部分には同一の符号を付して、その説明をできるだけ省略し、第１実施形態とその構成が異なる点について主に説明する。
図４に示すスイッチＳ６は、入力信号の大きさなどに従って、抵抗値が可変する可変抵抗素子からなる。このため、スイッチＳ６は、図示のようにその入力信号（制御信号）が供給される制御端子６を備えている。制御端子６に供給される制御信号は、制御回路７によって生成されるようになっている。
スイッチＳ６は、制御端子６に入力される制御信号に従って抵抗値が可変できる可変抵抗素子であれば良く、その抵抗値が可変できる能動素子が好ましい。その能動素子の一例としてＭＯＳトランジスタがあり、この場合の制御端子６はゲート端子である。
【００４５】
次に、このような構成からなる第２実施形態の動作例について、図４を参照して説明する。
図４に示す第２実施形態では、通常動作と、この通常動作に先立って動作開始から予め設定された期間だけ動作する初期動作とを行うことになっている。
この動作例では、理解を容易にするために、用意した正の電位から絶対値の等しい負の電位を出力し、負荷を駆動する場合について説明する。
すなわち，図４に示すように、端子１には正の電位Ｖ１を供給し、端子２、端子４、および端子５の電位Ｖ２、Ｖ３、Ｖ４はそれぞれグランド電位とし、出力端子３の電位ＶＯＵＴは端子１に供給される正の電位Ｖ１を反転した負電位であり、出力端子３の電位ＶＯＵＴで負荷Ｒｏが駆動される場合である。
【００４６】
通常動作の期間には、以下の第１の周期と第２の周期の動作を交互に繰り返す。
まず、第１の周期においては、スイッチＳ１、スイッチＳ４を導通状態にし、それと同時にスイッチＳ６、スイッチＳ３を非導通状態にし、キャパシタＣ１の一端をスイッチＳ１を介して端子１に接続し、その他端をスイッチＳ４を介して端子４に接続し、これにより正の電位Ｖ１でキャパシタＣ１を充電する。このとき、キャパシタＣ２は保持する電荷で出力端子３に出力電圧ＶＯＵＴを出力する。
【００４７】
次に，第２の周期においては、スイッチＳ１、スイッチＳ４を非導通状態にし、それと同時にスイッチＳ６、スイッチＳ３を導通状態にし、キャパシタＣ１の一端をスイッチＳ６を介して端子２に接続し、その他端をスイッチＳ３を介して出力端子３に接続する。これにより、キャパシタＣ１は、キャパシタＣ２との間で電荷再分配を行うと共に、出力端子３に出力電圧ＶＯＵＴを出力する。
【００４８】
ここで、出力端子３の出力電位ＶＯＵＴは、負荷Ｒｏによって電流消費されるため時間変化するが、消費される電荷量に比べてキャパシタＣ１によって供給できる電荷量が十分大きい場合には、出力端子３の電位ＶＯＵＴは、おおむね端子２に供給される電位Ｖ１を反転した負電位となる。
これらの通常動作に対し、動作開始から予め設定された初期動作の期間では、スイッチＳ６は導通状態にするが、その抵抗値が通常動作期間の第２周期における導通状態での抵抗値よりも大きくなるように、制御回路７により制御され、この制御の下で、以下の第３の周期と第４の周期の動作を交互に繰り返す。
【００４９】
まず、第３の周期においては、スイッチＳ１、スイッチＳ４を導通状態にし、それと同時にスイッチＳ３を非導通状態にし、キャパシタＣ１の一端をスイッチＳ１を介して端子１に接続し、その他端をスイッチＳ４を介して端子４に接続し、これにより正の電位Ｖ１でキャパシタＣ１を充電する。このとき、キャパシタＣ２は保持する電荷で出力端子３に出力電圧ＶＯＵＴを出力する。
【００５０】
次に，第４の周期においては、スイッチＳ１、スイッチＳ４を非導通状態にし、それと同時にスイッチＳ３を導通状態にし、キャパシタＣ１の一端をスイッチＳ６を介して端子２に接続し、その他端をスイッチＳ３を介して出力端子３に接続する。これにより、キャパシタＣ１は、キャパシタＣ２との間で電荷再分配を行うと共に、出力端子３に出力電圧ＶＯＵＴを出力する。
【００５１】
このとき、制御回路７は、例えばカレントミラー回路などを用いてスイッチＳ６に流れる電流を制限することによって、突入電流を的確に軽減できる。
ここで、図４のチャージポンプ回路において、動作開始時における出力端子３の電位ＶＯＵＴの変化と、端子２に流れ込む電流ＩＶ２とは、図１のチャージポンプ回路と同様に図２（Ａ）および図２（Ｂ）に示すようになる。
【００５２】
以上のように、この第２実施形態によれば、第１実施形態と同様に、動作開始初期における電荷再分配時の突入電流を的確に軽減できる。
なお、上記の説明では、図４の構成において、正の入力電位を反転して負の電位を出力する場合について説明した。
しかし、図４に示す第２実施形態において、端子１と端子５の電位Ｖ１、Ｖ４をいずれもグランド電位とし、端子２、端子４の電位Ｖ２、Ｖ３を入力電位ＶＩＮにすれば、その入力電位ＶＩＮを２倍に昇圧するチャージポンプ回路とすることができる。
【００５３】
（第２実施形態に係る実施例）
第２実施形態に係る実施例によるチャージポンプ回路の構成について、図５を参照して説明する。
図５に示す実施例は、例えば正の入力電位を反転した負の電位を出力する場合であって、図４に示す第２実施形態のスイッチとして、ＭＯＳトランジスタを用いるようにしたものである。
ここで、図５に示す実施例のＭＯＳトランジスタＭ１、Ｍ６、Ｍ３、Ｍ４は、図４のスイッチＳ１、Ｓ６、Ｓ３、Ｓ４にそれぞれ対応する。なお、ＭＯＳトランジスタＭ６はＮ型である。
【００５４】
また、図５の端子１および出力端子３は、図４の端子１および出力端子３にそれぞれ対応する。そして、図５の端子１には入力電位ＶＩＮが供給されるようになっている。
さらに、図５のＭＯＳトランジスタＭ６のソース端子とＭＯＳトランジスタ４のソース端子が、図４の端子２、４にそれぞれ対応する。その両ソース端子は、グランド電位になるように接地されている。
【００５５】
また、図５の制御回路７、キャパシタＣ１、Ｃ２、および負荷Ｒｏは、図４の制御回路７、キャパシタＣ１、Ｃ２、および負荷Ｒｏにそれぞれ対応する。なお、図５のキャパシタＣ２の一端側は、グランド電位になるように接地されている。
この実施例は、図３に示す実施例のＭＯＳトランジスタＭ２、Ｍ５および抵抗Ｒ１を、図５に示すようにＭＯＳトランジスタＭ６に置き換えたものである。従って、図３の実施例とその構成がほぼ同様であるので、その構成が同じ部分には同一の符号を付して、その説明は省略する。
【００５６】
このような構成からなる図５に示す実施例では、ＭＯＳトランジスタＭ１、Ｍ６、Ｍ３、Ｍ４は、図４のスイッチＳ１、Ｓ６、Ｓ３、Ｓ４にそれぞれ対応し、ＭＯＳトランジスタＭ１、Ｍ６、Ｍ３、Ｍ４は、対応するスイッチＳ１、Ｓ６、Ｓ３、Ｓ４と同様にオンオフ制御できる。
このため、図５に示す実施例では、図４に示す第２実施形態と同様に動作することができるので、その動作の詳細は省略する。
【００５７】
（第３実施形態）
次に、本発明の第３実施形態に係るチャージポンプ回路について、図６を参照して説明する。
この第３実施形態に係るチャージポンプ回路は、図６に示すように、スイッチＳ１、Ｓ７、Ｓ３、Ｓ４と、第１および第２キャパシタであるキャパシタＣ１、Ｃ２とを少なくとも備え、出力端子３に負荷Ｒｏを接続されるようになっている。
ここで、第３実施形態は、図１に示す第１実施形態のスイッチＳ２、Ｓ５および抵抗Ｒ１を、図６に示すようにスイッチＳ７に置き換えたものである。
【００５８】
従って、第１実施形態と構成が同じ部分には同一の符号を付して、その説明をできるだけ省略し、第１実施形態とその構成が異なる点について主に説明する。
図６に示すスイッチＳ７は、入力信号の大きさなどに従って、抵抗値が可変する可変抵抗素子からなる。このため、スイッチＳ７は、図示のようにその入力信号（制御信号）が供給される制御端子８を備えている。制御端子８に供給される制御信号は、制御回路９によって生成されるようになっている。
スイッチＳ７は、制御端子８に入力される制御信号に従って抵抗値が可変できる可変抵抗素子であれば良く、その抵抗値が可変できる能動素子が好ましい。その能動素子の一例としてＭＯＳトランジスタがあり、この場合の制御端子８はゲート端子である。
【００５９】
次に、このような構成からなる第３実施形態の動作例について、図６を参照して説明する。
図６に示す第３実施形態では、通常動作と、この通常動作に先立って動作開始から予め設定された期間だけ動作する初期動作とを行うことになっている。
この動作例では、理解を容易にするために、用意した正の電位から絶対値の等しい負の電位を出力し、負荷を駆動する場合について説明する。
すなわち，図６に示すように、端子１には正の電位Ｖ１を供給し、端子２、端子４、および端子５の電位Ｖ２、Ｖ３、Ｖ４はそれぞれグランド電位とし、出力端子３の電位ＶＯＵＴは端子１に供給される正の電位Ｖ１を反転した負電位であり、出力端子３の電位ＶＯＵＴで負荷Ｒｏが駆動される場合である。
【００６０】
通常動作の期間には、以下の第１の周期と第２の周期の動作を交互に繰り返す。
まず、第１の周期においては、スイッチＳ１、スイッチＳ４を導通状態にし、それと同時にスイッチＳ７、スイッチＳ３を非導通状態にし、キャパシタＣ１の一端をスイッチＳ１を介して端子１に接続し、その他端をスイッチＳ４を介して端子４に接続し、これにより正の電位Ｖ１でキャパシタＣ１を充電する。このとき、キャパシタＣ２は保持する電荷で出力端子３に出力電圧ＶＯＵＴを出力する。
【００６１】
次に、第２の周期においては、スイッチＳ１、スイッチＳ４を非導通状態にし、それと同時にスイッチＳ７、スイッチＳ３を導通状態にし、キャパシタＣ１の一端をスイッチＳ７を介して端子２に接続し、その他端をスイッチＳ３を介して出力端子３に接続する。これにより、キャパシタＣ１は、キャパシタＣ２との間で電荷再分配を行うと共に、出力端子３に出力電圧ＶＯＵＴを出力する。
【００６２】
ここで、出力端子３の出力電位ＶＯＵＴは、負荷Ｒｏによって電流消費されるため時間変化するが、消費される電荷量に比べてキャパシタＣ１によって供給できる電荷量が十分大きい場合には、出力端子３の電位ＶＯＵＴは、おおむね端子２に供給される電位Ｖ１を反転した負電位となる。
これらの通常動作に対し、動作開始から予め設定された初期動作の期間では、以下の第３の周期と第４の周期の動作を交互に繰り返す。
【００６３】
まず、第３の周期においては、スイッチＳ１、スイッチＳ４を導通状態にし、それと同時にスイッチＳ７、スイッチＳ３を非導通状態にし、キャパシタＣ１の一端をスイッチＳ１を介して端子１に接続し、その他端をスイッチＳ４を介して端子４に接続し、これにより正の電位Ｖ１でキャパシタＣ１を充電する。さらに、キャパシタＣ２は保持する電荷で出力端子３に出力電圧ＶＯＵＴを出力する。
【００６４】
次に，第４の周期においては、スイッチＳ１、スイッチＳ４を非導通状態にし、それと同時にスイッチＳ７、スイッチＳ３を導通状態にし、キャパシタＣ１の一端をスイッチＳ７を介して端子２に接続し、その他端をスイッチＳ３を介して出力端子３に接続する。これにより、キャパシタＣ１は、キャパシタＣ２との間で電荷再分配を行うと共に、出力端子３に出力電圧ＶＯＵＴを出力する。
【００６５】
このとき、制御回路９は、例えばカレントミラー回路などを用いてスイッチＳ７に流れる電流を制限することによって、突入電流を的確に軽減できる。
すなわち、第４の周期では、スイッチＳ７は導通状態になるが、その抵抗値が上記の第２の動作時の抵抗値よりも大きくなるように、制御回路９により制御されるので、突入電流を的確に軽減できる。
【００６６】
ここで、図６のチャージポンプ回路において、動作開始時における出力端子３の電位ＶＯＵＴの変化と、端子２に流れ込む電流ＩＶ２の変化とは、図１のチャージポンプ回路と同様に図２（Ａ）および図２（Ｂ）に示すようになる。
以上のように、この第３実施形態によれば、第１実施形態と同様に、動作開始初期における電荷再分配時の突入電流を的確に軽減できる。
【００６７】
なお、上記の説明では、図６の構成において、正の入力電位を反転して負の電位を出力する場合について説明した。
しかし、図６に示す第３実施形態において、端子１と端子５の電位Ｖ１、Ｖ４をいずれもグランド電位とし、端子２、端子４の電位Ｖ２、Ｖ３を入力電位ＶＩＮにすれば、その入力電位ＶＩＮを２倍に昇圧するチャージポンプ回路とすることができる。
以上のように、第３実施形態によれば、第１実施形態と同様に、動作開始初期における電荷再分配時の突入電流を的確に軽減できる。
【００６８】
（第３実施形態に係る実施例）
第３実施形態に係る実施例によるチャージポンプ回路の構成について、図７を参照して説明する。
図７に示す実施例は、例えば正の入力電位を反転した負の電位を出力する場合であって、図６に示す第３実施形態のスイッチとして、ＭＯＳトランジスタを用いるようにしたものである。
ここで、図７に示す実施例のＭＯＳトランジスタＭ１、Ｍ７、Ｍ３、Ｍ４は、図４のスイッチＳ１、Ｓ７、Ｓ３、Ｓ４にそれぞれ対応する。なお、ＭＯＳトランジスタＭ７はＮ型である。
【００６９】
また、図７の端子１および出力端子３は、図６の端子１および出力端子３にそれぞれ対応する。そして、図７の端子１には入力電位ＶＩＮが供給されるようになっている。
さらに、図７のＭＯＳトランジスタＭ７のソース端子とＭＯＳトランジスタ４のソース端子が、図６の端子２、４にそれぞれ対応する。その両ソース端子は、グランド電位になるように接地されている。
【００７０】
また、図７の制御回路９、キャパシタＣ１、Ｃ２、および負荷Ｒｏは、図６の制御回路９、キャパシタＣ１、Ｃ２、および負荷Ｒｏにそれぞれ対応する。なお、図７のキャパシタＣ２の一端側は、グランド電位になるように接地されている。
この実施例は、図３に示す実施例のＭＯＳトランジスタＭ２、Ｍ５および抵抗Ｒ１を、図７に示すようにＭＯＳトランジスタＭ７に置き換えたものである。従って、図３の実施例とその構成がほぼ同様であるので、その構成が同じ部分には同一の符号を付して、その説明は省略する。
【００７１】
このような構成からなる図７に示す実施例では、ＭＯＳトランジスタＭ１、Ｍ７、Ｍ３、Ｍ４は、図６のスイッチＳ１、Ｓ７、Ｓ３、Ｓ４にそれぞれ対応し、ＭＯＳトランジスタＭ１、Ｍ７、Ｍ３、Ｍ４は、対応するスイッチＳ１、Ｓ７、Ｓ３、Ｓ４と同様にオンオフ制御できる。
このため、図７に示す実施例では、図６に示す第３実施形態と同様に動作することができるので、その動作の詳細は省略する。
【図面の簡単な説明】
【００７２】
【図１】本発明の第１実施形態の構成を示す図である。
【図２】第１実施形態において、出力端子電位の時間変化と、電荷再分配時の電流の時間変化を説明するための図である。
【図３】第１実施形態に係る実施例の構成を示す図である。
【図４】本発明の第２実施形態の構成を示す図である。
【図５】第２実施形態に係る実施例の構成を示す図である。
【図６】本発明の第３実施形態の構成を示す図である。
【図７】第３実施形態に係る実施例の構成を示す図である。
【図８】従来のチャージポンプ回路の構成を示す図である。
【図９】従来のチャージポンプ回路において、出力端子電位の時間変化と、電荷再分配時の電流の時間変化を説明するための図である。
【符号の説明】
【００７３】
１、２、４、５  端子
３  出力端子
６、８  制御端子
７、９  制御回路
Ｓ１〜Ｓ７  スイッチ
Ｍ１〜Ｍ７  ＭＯＳトランジスタ
Ｃ１、Ｃ２  キャパシタ
Ｒ１  抵抗
【図１】
2007104823.tif 000003
【図２】
2007104823.tif 000004
【図３】
2007104823.tif 000005
【図４】
2007104823.tif 000006
【図５】
2007104823.tif 000007
【図６】
2007104823.tif 000008
【図７】
2007104823.tif 000009
【図８】
2007104823.tif 000010
【図９】
2007104823.tif 000011